(57)【特許請求の範囲】
【請求項１】
カードが挿入及び排出されるカード口が形成されている筐体を有するカード処理装置において、
前記筐体内に配置されている発熱体と、
前記筐体内に配置された送風ファンと、
前記筐体内に配置されたダクトと、
を備え、
前記カード口の縁は、前記カードを形成する面のうちの最も大きな一対のカード主面に対向する一対の長手縁を有し、
前記筐体には、
カード取扱者と相対する取扱者対向面と、
前記カード口から内部に向かう挿入方向に、前記取扱者対向面から凹み、凹みの底に該カード口が形成され、該凹みの側周面の一部が上方を向く下誘導面と該下誘導面に対向し下方を向く上誘導面とを成す第一案内凹部と、
前記カード口の前記一対の長手縁のうちの一方の長手縁から他方の長手縁の方向に、前記第一案内凹部の前記下誘導面から凹み、凹みの底面が該他方の長手縁を含むガイド面を成す第二案内凹部と、
が形成され、
前記第二案内凹部の開口は、前記カードの主面よりも大きく、前記第一案内凹部の開口は、該第二案内凹部の開口よりも大きく、
前記ガイド面は、前記挿入方向に向かうに連れて次第に上方に向かうよう傾斜し、
前記第二案内凹部の底面を成す前記ガイド面には、複数の通気孔が形成され、
前記ダクトは、前記送風ファンからの空気が通る主ダクトと、該主ダクトを通ってきた該空気を前記発熱体に導く第一副ダクトと、該主ダクトを通ってきた該空気を前記複数の通気孔に導く第二副ダクトと、を有し、
さらに、前記第一案内凹部に物体が入り込んだか否かを検知する検知手段と、
前記検知手段が前記第一案内凹部に物体が入り込んだことを検知すると、前記主ダクトを通ってきた前記空気を前記第二副ダクトに流し、該検知手段が該第一案内凹部に物体が入り込んだことを検知した後に予め定められた条件を満たすと、該主ダクトを通ってきた該空気を前記第一副ダクトに流す切替手段と、
を備えている、
ことを特徴とするカード処理装置。
【請求項２】
請求項１に記載のカード処理装置において、
前記上誘導面は、前記挿入方向に向かうに連れて次第に前記下誘導面に近づく面形状を成している、
ことを特徴とするカード処理装置。
【請求項３】
請求項１又は２に記載のカード処理装置において、
前記下誘導面のうち、前記第二案内凹部を基準として、前記挿入方向に対して垂直な方向の両側の位置に設けられた発光部を備えている、
ことを特徴とするカード処理装置。
【発明の詳細な説明】
【技術分野】
【０００１】
本発明は、カードが挿入されるカード挿入口を有するカード処理装置に関する。
【背景技術】
【０００２】
現金自動預け払い機（ＡＴＭ：Automated teller machine）等、カードを受け入れるカード処理装置では、カード取扱者によるカード挿入を容易にするために各種工夫が施されている。
【０００３】
例えば、特許文献１に記載のカード処理装置では、その筐体の外面から下方に凹んだ凹部を形成し、この凹部の底面を下ガイド面とし、この下ガイド面の奥にカード挿入口を設けている。さらに、このカード処理装置では、下ガイド面に多数の通気孔が形成されている。
【先行技術文献】
【特許文献】
【０００４】
【特許文献１】特開２０００−１２３２０５号公報  （図１）
【発明の概要】
【発明が解決しようとする課題】
【０００５】
上記特許文献１に記載の技術では、確かに、健常者にはカード挿入が容易である。しかしながら、当該技術では、手や指に障害のある者や視覚障害者にはカード挿入の困難性が残るという問題点がある。
【０００６】
本発明は、このような従来技術の問題点に着目し、手や指に障害のある者や視覚障害者が容易にカード挿入できるカード処理装置を提供することを目的とする。
【課題を解決するための手段】
【０００７】
前記問題点を解決するための発明に係るカード処理装置は、
カードが挿入及び排出されるカード口が形成されている筐体を有するカード処理装置において、
前記筐体内に配置されている発熱体と、前記筐体内に配置された送風ファンと、前記筐体内に配置されたダクトと、を備え、
前記カード口の縁は、前記カードを形成する面のうちの最も大きな一対のカード主面に対向する一対の長手縁を有し、
前記筐体には、カード取扱者と相対する取扱者対向面と、前記カード口から内部に向かう挿入方向に、前記取扱者対向面から凹み、凹みの底に該カード口が形成され、該凹みの側周面の一部が上方を向く下誘導面と該下誘導面に対向し下方を向く上誘導面とを成す第一案内凹部と、前記カード口の前記一対の長手縁のうちの一方の長手縁から他方の長手縁の方向に、前記第一案内凹部の前記下誘導面から凹み、凹みの底面が該他方の長手縁を含むガイド面を成す第二案内凹部と、が形成され、
前記第二案内凹部の開口は、前記カードの主面よりも大きく、前記第一案内凹部の開口は、該第二案内凹部の開口よりも大きく、前記ガイド面は、前記挿入方向に向かうに連れて次第に上方に向かうよう傾斜し、前記第二案内凹部の底面を成す前記ガイド面には、複数の通気孔が形成され、
前記ダクトは、前記送風ファンからの空気が通る主ダクトと、該主ダクトを通ってきた該空気を前記発熱体に導く第一副ダクトと、該主ダクトを通ってきた該空気を前記複数の通気孔に導く第二副ダクトと、を有し、
さらに、前記第一案内凹部に物体が入り込んだか否かを検知する検知手段と、前記検知手段が前記第一案内凹部に物体が入り込んだことを検知すると、前記主ダクトを通ってきた前記空気を前記第二副ダクトに流し、該検知手段が該第一案内凹部に物体が入り込んだことを検知した後に予め定められた条件を満たすと、該主ダクトを通ってきた該空気を前記第一副ダクトに流す切替手段と、を備えていることを特徴とする。
【発明の効果】
【０００８】
本発明では、開口サイズ及び凹みの向きが異なる複数の案内凹部により、カードをカード口に段階的に導いているため、手や指に障害のある者や視覚障害者でもカードをカード口に容易に挿入することができる。
【図面の簡単な説明】
【０００９】
【図１】本発明に係る一実施形態におけるカード処理装置の斜視図である。
【図２】本発明に係る一実施形態におけるカード受入部の斜視図（カード挿入前）である。
【図３】図２におけるIII−III線断面図である。
【図４】本発明に係る一実施形態におけるカード受入部回りの断面図（カードの挿入前）である。
【図５】本発明に係る一実施形態におけるカード処理装置の、カードの横断面、カード挿入口、第一案内凹部の開口、第二案内凹部の開口のそれぞれの大きさを示す説明図である。
【図６】本発明に係る一実施形態におけるカード受入部の斜視図（カードの挿入過程）である。
【図７】本発明に係る一実施形態におけるカード受入部回りの斜視図（カードの挿入過程のその１）図である。
【図８】本発明に係る一実施形態におけるカード受入部回りの断面図（カードの挿入過程のその２）図である。
【図９】本発明に係る一実施形態におけるカード受入部回りの断面図（カードの挿入時）図である。
【発明を実施するための形態】
【００１０】
以下、本発明に係るカード処理装置の実施形態について、図面を用いて説明する。
【００１１】
本実施形態のカード処理装置の筐体１０には、図１に示すように、この筐体１０の取扱者対向面１１に、カードを受け入れるカード受入部２０が形成されていると共に、ディスプレイパネル１３や操作パネル１４等が設けられている。
【００１２】
このカード処理装置が受け入れるカード１は、図２に示すように、互いに対向する一対の長方形状の主面２を有している。この主面２は、カード１を形成する面のうち最も大きな面である。なお、以下では、この一対の主面２の相互の間隔寸法をカード１の厚さ寸法ｔとし、長方形状の主面２の長手方向の寸法をカード１の縦幅寸法ｌとし、主面２の短手方向の寸法をカード１の横幅寸法ｗとする。
【００１３】
カード受入部２０は、図２及び図３に示すように、筐体１０の取扱者対向面１１からこの筐体１０の裏面１２（図１に示す）に向かうカード挿入方向Ｉに凹んだ第一案内凹部２１を有している。この第一案内凹部２１の凹みの底２８には、カード挿入口４１が形成されている。
【００１４】
カード挿入口４１の縁は、長方形状を成し、互いに対向する一対の長手縁４２と、互いに対向する一対の短手縁４３とを有している。一対の長手縁４２は、当該カード処理装置の設置面に平行な水平方向に伸び、且つ上下に並んでいる。また、一対の短手縁４３は、この設置面に対して鉛直方向に伸び且つ横方向Ｈに並んでいる。
【００１５】
第一案内凹部２１は、筐体１０の横方向Ｈで互いに対向する一対の内側面２２と、鉛直方向で互いに対向する下誘導面２３及び上誘導面２６と、を有している。上誘導面２６は、筐体１０の裏面側に向かうに連れて次第に下誘導面２３に近づく向きに湾曲し、そのカード挿入方向Ｉ側の端で、下誘導面２３のカード挿入方向Ｉ側の端と接続している。
【００１６】
カード受入部２０は、さらに、第一案内凹部２１の下誘導面２３から下方に凹んだ第二案内凹部３１を有している。この第二案内凹部３１の底面は、カード挿入方向Ｉに伸びる第一挿入ガイド面３２を成している。この第一挿入ガイド面３２は、カード処理装置の設置面に対向しているものの、そのカード排出方向Ｅ側の端に対してカード挿入方向Ｉ側の端が若干上に位置するよう、僅かに傾斜している。また、この第二案内凹部３１の側面のうち、カード挿入方向Ｉに伸び且つ互いに対向する一対の側面が第二挿入ガイド面３４を成し、この第二案内凹部３１の側面のうち、カード挿入方向Ｉ側の側面が奥側面３５を成し、この奥側面３５に対向する側面が手前側面３６を成している。
【００１７】
第二案内凹部３１の奥側面３５には、カード挿入口４１の下長手縁４２ａが、第二案内凹部３１の底面である第一挿入ガイド面３２に含まれるように、カード挿入口４１が形成されている。また、第二案内凹部３１の手前側面３６の横方向Ｈの中央部には、奥側面３５から遠ざかるカード排出方向Ｅに円弧状に凹む逃げ部３７が形成されている。また、第二案内凹部３１の底面である第一挿入ガイド面３２には、多数の通気孔３３が形成されている。なお、第一案内凹部２１の底２８を形成する面は、前述した上誘導面２６のうちのカード挿入方向Ｉ側の部分２６ａと第二案内凹部３１の奥側面３５とを有している。
【００１８】
第一案内凹部２１の下誘導面２３は、第二案内凹部３１の側面である一対の第二挿入ガイド面３４，３４のそれぞれから、第一案内凹部２１の一対の内側面２２，２４に向かって横方向Ｈに広がっている側部下誘導面２３と、第二案内凹部３１の側面である手前側面３６からカード排出方向Ｅに広がっている手前下誘導面２３と、を有している。
【００１９】
第一案内凹部２１の内面の一つである上誘導面２６のカード挿入方向Ｉ側の部分２６ａ、言い換えると、第一案内凹部２１の底２８の部分には、横方向Ｈに長い発光器（発光部）４５が設けられている。また、第一案内凹部２１の内面の一つである下誘導面２３の各側部下誘導面２４，２４には、カード挿入方向Ｉに長い発光器（発光部）４６，４６が設けられている。これらの発光器４５，４６は、いずれも、複数のＬＥＤ（Light Emitting Diode）を並べて構成してものである。
【００２０】
図５に示すように、カード挿入口４１の一対の長手縁４２の相互間の寸法、つまり短手縁４３の長さ寸法は、カード１の厚さ寸法ｔよりも若干大きく、カード挿入口４１の一対の短手縁４３の相互間の寸法、つまり長手縁４２の長さ寸法は、カード１の横幅寸法ｗより若干大きい。すなわち、カード挿入口４１は、カード１の横断面よりも若干大きい。なお、図５は、カード１の横断面、カード挿入口４１、第二案内凹部３１の開口３９、第一案内凹部２１の開口２９のそれぞれの大きさを示すもので、それぞれの位置関係を示すものではない。
【００２１】
また、第二案内凹部３１の側面のうち、一対の第二挿入ガイド面３４，３４の相互間の寸法は、カード挿入口４１の長手縁４２の長さ寸法より若干大きく、第二案内凹部３１の側面のうち、互いに対向する奥側面３５と手前側面３６との相互間の寸法は、カード１の縦幅寸法ｌより大きい。このため、第二案内凹部３１の開口３９は、カード１の主面２よりも大きい。また、この第二案内凹部３１の底面である第一挿入ガイド面３２上には、カード１を置くことができる。
【００２２】
第一案内凹部２１の一対の内側面２２，２２の相互間の寸法は、第二案内凹部３１の一対の第二挿入ガイド面３４，３４間の寸法に、第二案内凹部３１の両側に広がっている側部下誘導面２４，２４の横幅寸法を加えた寸法である。この第一案内凹部２１の開口２９は、第二案内凹部３１の開口３９よりも大きい。
【００２３】
筐体１０内には、図３及び図４に示すように、第一案内凹部２１内への物体の進入を検知する進入検知センサ（検知手段）５０と、カード挿入口４１から内部に入ってきたカード１をカード挿入方向Ｉに送ると共に、内部に入ったカード１をカード排出方向Ｅに送ってカード挿入口４１から排出させる一対のカード送りローラ１５と、ディスプレイパネル１３や操作パネル１４等を制御するためのコンピュータ（発熱体）１６と、このコンピュータ１６に空気を送ってコンピュータ１６を冷却する送風ファン５１と、送風ファン５１からの空気が通る主ダクト５２と、主ダクト５２を通ってきた空気をコンピュータ１６に導く第一副ダクト５３と、主ダクト５２を通ってきた空気を第二案内凹部３１の複数の通気孔３３に導くための第二副ダクト５４と、主ダクト５２からの空気を第一副ダクト５３と第二副ダクト５４とのうちの一方に導くための切替弁（切替手段）５５と、この切替弁５５を駆動制御する弁制御回路（切替手段）５６と、第二副ダクト５４からの空気が一時的に溜まるチャンバ５７と、が設けられている。
【００２４】
チャンバ５７は、第二案内凹部３１の底面である第一挿入ガイド面３２に形成されている多数の通気孔３３へ空気を送れるよう、この第一挿入ガイド面３２の下に形成されている。このチャンバ５７には、第二副ダクト５４につながっている。
【００２５】
切替弁５５は、第二副ダクト５４を塞いで主ダクト５２からの空気を第一副ダクト５３に送る第一送風状態と、第一副ダクト５３を塞いで主ダクト５２からの空気を第二副ダクト５４に送る第二送風状態とに変位可能な弁体５５ａと、この弁体５５ａを第一送風状態と第二送風状態とに変位させる弁体駆動機構５５ｂと、を備えている。弁制御回路５６は、この弁体駆動機構５５ｂに対して駆動制御信号を送る。
【００２６】
進入検知センサ５０は、発光素子５０ａと、この発光素子５０ａからの光を受ける受光素子５０ｂとを有している。発光素子５０ａは、第一案内凹部２１の上誘導面２６の裏側であって、カード排出方向Ｅ側に寄った位置に配置され、受光素子５０ｂは、第二案内凹部３１の底面である第一挿入ガイド面３２の裏側のチャンバ５７内であって、カード排出方向Ｅ側に寄った位置に配置されている。
【００２７】
筐体１０内には、以上の他、カード１に記憶されているデータを読み取る読取装置（不図示）、さらに、必要に応じて、カード１に記憶されているデータを書き換える書込み装置（不図示）等、カード１に対して何らかの処理を行う装置が設けられている。なお、カード１へのデータ記憶形態としては、カード１の表面に磁気テープが貼り付けられ、この磁気テープにデータが記憶される形態、カード１内にＩＣチップが設けられ、このＩＣチップにデータが記憶されている形態、バーコード等の視覚的に認識できるデータがカード１表面に直接描かれている形態等、各種形態があるが、本発明において、カード１へのデータ記憶形態はいずれの形態であってもよい。
【００２８】
次に、本実施形態におけるカード処理装置の作用及び効果について説明する。
【００２９】
切替弁５５は、図４に示すように、カード挿入口４１内にカード１が挿入されていない等の場合、第一送風状態になっており、送風ファン５１からの空気は、主ダクト５２、第一副ダクト５３を経て、コンピュータ１６に送られ、このコンピュータ１６を冷却している。
【００３０】
カード取扱者は、カード処理装置にカード１を挿入する際には、このカード処理装置の取扱者対向面１１側に立つ。取扱者対向面１１の第一案内凹部２１内には、図２に示すように、各発光器４５，４６が設けられ、基本的に常時発光している。このため、健常者のみならず、弱視者であっても、第一案内凹部２１の位置、さらに、この第一案内凹部２１の底２８に設けられているカード挿入口４１の概略位置を認識することができる。
【００３１】
カード取扱者は、発光器４５，４６の発光により、第一案内凹部２１の位置、さらにカード挿入口４１の概略位置を認識すると、又は、第一案内凹部２１の底２８に形成されているカード挿入口４１を目視で直接認識すると、図６及び図７に示すように、カード１を第一案内凹部２１の開口２９から、この第一案内凹部２１の内部に入れる。
【００３２】
第一案内凹部２１の開口２９は、図５を用いて説明したように、カード１の主面２より大きな第二案内凹部３１の開口３９及び底面３２よりもさらに大きい。このため、手や指に障害のある者や視覚障害者でも、容易に、カード１を第一案内凹部２１の開口２９から、この第一案内凹部２１の内部に入れことができる。
【００３３】
第一案内凹部２１の上誘導面２６は、前述したように、筐体１０の裏面側に向かうに連れて次第に下誘導面２３に近づく向きに湾曲している。このため、第一案内凹部２１内に入れたカード１は、上誘導面２６及び下誘導面２３に誘導され、下誘導面２３に形成されている第二案内凹部３１内に導かれる。すなわち、手や指に障害のある者や視覚障害者でも、第一案内凹部２１内に入れたカード１を、図８に示すように、容易に、第二案内凹部３１の底面である第一挿入ガイド面３２上に置くことができる。
【００３４】
カード取扱者は、第二案内凹部３１の第一挿入ガイド面３２上にカード１を置くと、このカード１を装置の奥側、つまりカード挿入方向Ｉ側に押す。すると、カード１は、その両側が第二案内凹部３１の一対の側面である第二挿入ガイド面３４，３４にガイドされ、その下面が第一挿入ガイド面３２にガイドされて、図９に示すように、カード挿入口４１内に入り込む。したがって、手や指に障害のある者や視覚障害者でも、容易に、カード１を第二案内凹部３１からカード挿入口４１に入れことができる。
【００３５】
カード１がカード挿入口４１内に入り込むと、このカード１は、一対のカード送りローラ１５により、カード挿入方向Ｉに送られ、読取装置及び／又は書込み装置（不図示）等で処理される。カード１に対して所定の処理が施されると、カード送りローラ１５が逆転して、カード１をカード排出方向Ｅへ送り、カード挿入口４１から排出する。カード挿入口４１から排出されたカード１は、第二案内凹部３１の底面である第一挿入ガイド面３２上に置かれる。
【００３６】
そして、カード取扱者は、第二案内凹部３１の第一挿入ガイド面３２上にあるカード１を、ここから取り出す。なお、この際、カード取扱者の手は、第一案内凹部２１の各面２２，２３，２６により、カード挿入時のカード１と同様に、第二案内凹部３１内に導かれる。
【００３７】
ところで、図６及び図７に示すように、第一案内凹部２１の開口２９をカード取扱者の手又はカード１が通ると、これが進入検知センサ５０により検知される。具体的に、進入検知センサ５０の発光素子５０ａから受光素子５０ｂへの光が、カード１等により遮られ、受光素子５０ｂは、このときの受光量の変化によりカード１等の進入を検知する。
【００３８】
進入検知センサ５０の受光素子５０ｂがカード１等の進入を検知すると、弁制御回路５６は、切替弁５５に対して、第一送風状態から第二送風状態への切替を指示する。この結果、切替弁５５は、第二送風状態になり、送風ファン５１からの空気は、主ダクト５２、第一副ダクト５３、チャンバ５７を経て、第二案内凹部３１の底面である第一挿入ガイド面３２に形成されている多数の通気孔３３から、第二案内凹部３１内に吹き出る。この第二送風状態は、進入検知センサ５０によりカード１等の進入が検知されてから所定時間後、又は、カード１が挿入され、さらにカード送りローラ１５によりカード１が排出されてから所定時間後まで継続する。
【００３９】
このため、カード１が、第二案内凹部３１の底面である第一挿入ガイド面３２に置かれても、カード１と第一挿入ガイド面３２との間に摩擦力はほとんど働かない。よって、カード挿入時、カード取扱者は、第二案内凹部３１の底面である第一挿入ガイド面３２に置いたカード１を、極めて軽微な力でカード挿入方向Ｉに押すことができる。また、カード排出時、つまり、カード送りローラ１５により、カード１がカード挿入口４１から排出されて第一挿入ガイド面３２上に載ると、この第一挿入ガイド面３２が傾斜している関係で、カード排出方向Ｅに移動し、カード１の排出側先端が第二案内凹部３１の手前側面３６に接する。カード取扱者は、このカード１を、第二案内凹部３１の円弧状の逃げ部３７（図２、図５参照）に指を入れて、第二案内凹部３１から取り出す。
【００４０】
以上、本実施形態では、第一案内凹部２１内に発光器４５，４６が設けられているため、弱視者であっても、第一案内凹部２１の位置、この第一案内凹部２１の底２８に設けられているカード挿入口４１の概略位置を認識することができる。さらに、本実施形態では、開口サイズ及び凹みの向きが異なる複数の案内凹部２１，３１により、カード１をカード挿入口４１に段階的に導いているため、手や指に障害のある者や視覚障害者でもカード１をカード挿入口４１に容易に挿入することができる。
【００４１】
よって、本実施形態では、各種障害者でもカード処理装置にカード１を容易に挿入することができる。
【００４２】
なお、以上の実施形態では、カード挿入口４１から入ってきたカード１をカード挿入口４１から排出しているが、カード挿入口４１とは異なるカード排出口を設け、このカード排出口からカード１を排出するようにしてもよい。この場合、カード受入部２０と同様、第一案内凹部、第二案内凹部及びカード排出口を有するカード排出口部を設けることが好ましい。
【００４３】
また、本実施形態では、コンピュータ１６の冷却用とカード浮上用とに送風ファン５１を兼用しているが、それぞれに専用の送風ファン５１を設けてもよい。
【００４４】
また、本実施形態では、第一案内凹部２１への物体の進入を検知するために光学式センサを用いたが、本発明はこれに限定されるものではなく、例えば、超音波センサや磁気センサ等を用いてもよい。
【符号の説明】
【００４５】
１：カード、２：主面、１０：筐体、１１：取扱者対向面、１２：裏面、１５：カード送りローラ、１６：コンピュータ（発熱体）、２０：カード受入部、２１：第一案内凹部、２３：下誘導面、２６：上誘導面、２８：（第一案内凹部の）底、２９：（第一案内凹部の）開口、３１：第二案内凹部、３２：第一挿入ガイド面、３３：通気孔、３４：第二挿入ガイド面、３５：奥側面、３６：手前側面、３７：逃げ部、３９：（第二案内凹部の）開口、４１：カード挿入口、４２：長手縁、４２ａ：下長手縁、４３：短手縁、４５，４６：発光器（発光部）、５０：進入検知センサ（検知手段）、５１：送風ファン、５２：主ダクト、５３：第一副ダクト、５４：第二副ダクト、５５：切替弁、５６：弁制御回路
【図１】
0005652860.tif 000002
【図２】
0005652860.tif 000003
【図３】
0005652860.tif 000004
【図４】
0005652860.tif 000005
【図５】
0005652860.tif 000006
【図６】
0005652860.tif 000007
【図７】
0005652860.tif 000008
【図８】
0005652860.tif 000009
【図９】
0005652860.tif 000010